(57)【要約】  第１の板金部品としての筺体２は、両側面板のカバー取付開口端部に形成したＬ字状の引っ掛け部２７と、筺体２の開口端部を内方にカバー８の厚み分だけ窪ませた組付けガイド部２８とを有し、第２の板金部品としてのカバー８は両側縁から組付け側に延在してＬ字状の引っ掛け部２７に係合する引っ掛け爪８１と、組付けガイド部２８に係合するガイド片８２とを有し、筺体２とカバー８の当接面には、係合爪８５と係合穴１０２及びねじ穴１０１とねじ通し穴８４とを相対的に設けたものである。
2010109565.tif 000002
【特許請求の範囲】
【請求項１】
互いに組付け固定する第１の板金部品と第２の板金部品とを備え、前記第１の板金部品は両側面板の開口端部に形成したＬ字状の引っ掛け部と、前記開口端部の一部を内方に前記第２の板金部品の厚み分だけ窪ませた組付けガイド部とを有し、前記第２の板金部品は両側縁から組付け側に延在して前記Ｌ字状の引っ掛け部に係合するＬ字状の引っ掛け爪と、組付けガイドに係合するガイド片とを有し、前記第１の板金部品と前記第２の板金部品の当接面には、係合爪と係合穴及びねじ通し穴とねじ穴とを相対的に設けたことを特徴とする板金部品同士の固定構造。
【請求項２】
互いに引っ掛け係合する筺体に設けた引っ掛け部及びカバーに設けた引っ掛け爪は、入口は大きく、根元は狭くなるようにテーパが形成されていることを特徴とする請求項１記載の板金部品同士の固定構造。
【請求項３】
筺体とカバーとの重ね合わせ部に相対的に設けた係合穴に係合する係合爪は、テーパを有し、係合穴の四隅は円弧部に形成されていることを特徴とする請求項１記載の板金部品同士の固定構造。
【発明の詳細な説明】
【技術分野】
【０００１】
この発明は、電気機器において、板金部品の筺体（シャーシ）に対し板金部品のカバーを組付ける板金部品同士の固定構造に関する。
【背景技術】
【０００２】
自動車等の移動体に搭載される電気機器において、例えば、板金部品の筺体に対し板金部品のカバーを組付ける場合は、筺体とカバー、つまり板金部品同士をねじ固定している。このため、ねじ使用数が多く、組み立てに時間がかかり、分解性も悪かった。そこで、ねじ使用数を減らすことが考えられるが、固定箇所が少なくなり、振動時に異音を発生する等の課題があった。【０００３】
また、特許文献１の画像形成装置には、一度の動作で下面から原稿搬送装置内部を露出させることができるように、原稿搬送路下面部材は、一端を原稿搬送装置本体に回動可能に支持され、他端に設けたピンを底板の回動端に設けた側壁の溝にスライド可能に係合され、底板を開くと同時に原稿搬送路下面部材の開かれる構成が開示されている。
【先行技術文献】
【特許文献】
【０００４】
【特許文献１】特開２００５−３４８３０３号公報
【発明の概要】
【０００５】
しかし、特許文献１に開示された構造は、底板を開くと同時に原稿搬送路下面部材を開くようにしたもので、板金部品同士のねじ固定数を減らし、かつ、振動時に異音を発生しないようにすることはできない。
【０００６】
この発明は上記のような課題を解消するためになされたもので、ねじ固定箇所を削減し、引っ掛け形状のみで容易に組付けができ、組立性および分解性の向上を図る。また、組付け後は、引っ掛け形状によるテンションを常時付加することで、ねじ固定部の緩みを防止するとともに、振動等に基づき発生する異音を抑制するカバー固定構造を実現することを目的とする。
【０００７】
この発明の係る板金部品同士の固定構造は、互いに組付け固定する第１の板金部品と第２の板金部品とを備え、第１の板金部品は両側面板の開口端部に形成したＬ字状の引っ掛け部と、その開口端部の一部を内方に第２の板金部品の厚み分だけ窪ませた組付けガイド部とを有し、第２の板金部品は両側縁から組付け側に延在してＬ字状の引っ掛け部に係合するＬ字状の引っ掛け爪と、組付けガイドに係合するガイド片とを有し、第１の板金部品と第２の板金部品の当接面には、係合爪と係合穴及びねじ通し穴とねじ穴とを相対的に設けたものである。
【０００８】
この発明によれば、互いに組付け固定する第１の板金部品と第２の板金部品とに相対的に設けた引っ掛け部と引っ掛け爪の係合および係合穴に対する係合爪の係合により固定するように構成したので、板金部品同士をねじ固定箇所を削減して組付けることができ、組立性および分解性の向上を図ることができる。
【０００９】
また、引っ掛け部と引っ掛け爪の係合面に、板金部品同士を互いに押圧力を付与するようにテーパを形成しているので、組付け後は、このテーパによる押圧力が常時付加され、ねじ固定部の緩みを防止するとともに、振動等に基づき発生する異音を抑制することができる。
【図面の簡単な説明】
【００１０】
【図１】この発明の板金部品同士の固定構造を適用する電子機器の概要図である。
【図２】電子機器の分解斜視図である。
【図３】筺体とカバーの要部の分解斜視図である。
【図４】筺体にカバーを組付ける過程の斜視図である。
【図５】筺体とカバーの組付け状態を示す斜視図である。
【図６】図５のＡ−Ａ線に沿う拡大断面図である。
【図７】係合穴と係合爪との関係を示す組付け前の斜視図である。
【図８】引っ掛け部と引っ掛け爪の関係を示す組付け前の斜視図である。
【発明を実施するための形態】
【００１１】
以下、この発明を実施する為に、この発明を実施する為の形態について、添付の図面に従って説明する。
実施の形態１．
以下、この発明の板金部品同士の固定構造を図面に基づいて説明する。先ず、図１、図２に基づいて、この発明の板金部品同士の固定構造を適用する電子機器の概要について説明する。この電子機器１は、第１の板金部品としての箱形中空の筺体２と、この筺体２の内部に組付ける基板３と、この基板３に組付けた表示器４と、この表示器４に対向して配置するフィルタ５をフード６とともに取付、筺体２に組付けるパネル７と、これ等を全て組付けた後、筺体２の開口部を覆う第２の板金部品としてのカバー８とを有する。なお、以下の説明における上下面板、前後面板、左右側面板も表現は電子機器を使用位置に設置した状態を基準にしたものである。
【００１２】
筺体２は、内部に設けた基板受け兼ねじ固定部２１と、筺体２の両側面板の一部を内方に切起こして基板受け兼ねじ固定部２１と同じ高さ位置に形成された第１の基板受け部２２と、基板３を挟み込むように筺体２の両側面板の他の一部を内方に切起こして形成された基板挟み込み部２３ａ，２３ｂ（片側は図示せず）と、第１の基板受け部２２の一部を基板載置側に略直角に折り返して形成された基板組付けガイド部２４と、ねじ固定しない基板縁部に形成された凸部３１が係合するように筺体２の後面板上端縁に略直角に折り曲げ形成された口形係合部２５および該口形係合部の両側から筺体内方に向かって水平に延びて基板受け兼ねじ固定部２１及び第１の基板受け部２２と略同一高さ位置に形成された第２の基板受け部２６とを備えたものである。
【００１３】
また、筺体２は、両側面板のカバー取付開口端の一部を内方に折り曲げて形成したＬ字状の引っ掛け部２７と、この引っ掛け部２７の近傍において、前記筺体２の開口端側を内方にカバー８の厚み分だけ窪ませた組付けガイド部２８と、後面板の上部にねじ穴１０１と係合穴１０２とを形成している。
【００１４】
表示器４は厚みを有する長方形をなしている。この表示器４を組付け保持するホルダ９は樹脂製素材により作られており、載置された表示器４を厚み方向に付勢するように底面に切起こし形成された厚み方向付勢手段として弾性片９１、表示器４を端子側に付勢するように上面板の一部を内方に切起こして形成された下方向付勢手段としての弾性片９２、表示器４を左右から挟持するように左右側面板の一部を内方に切起こし形成された挟持手段としての弾性片９３、表示器４の表面を押さえるように上面板及び左右側面板に形成された表面押さえ手段としての弾性係合爪９４及び９５を備えている。
【００１５】
また、ホルダ９の後面板及び左右側面板には、ホルダ９を基板３に組付け固定するための弾性係合爪９６及び９７が厚み方向に延在して形成されている。また、底面には基板３の穴に係合する係合爪が形成されているが図２では図示を省略する。
【００１６】
パネル７は、周囲に筺体２に対する組付け用の壁面７０を備え、この壁面７０を形成する上面板より所定距離離れて内部に形成された表示窓７１、この表示窓７１の周縁に枠状に形成されたフィルタ取付部７２、このフィルタ取付部７２の下縁部に添って形成された複数の操作釦７３ａ〜７３ｎを収納する操作釦収納部７３、この操作釦収納部７３と壁面７０の下面板との間に位置して形成された小物入れ７４を有する。組付け用の壁面７０を形成する上下面板及び左右側面板には、筺体２に形成された係合爪と係合する口形係合部７０ａが形成されている。
【００１７】
フード６は、樹脂製素材により枠状に形成されており、フィルタ取付部７２の上面板外面に組付ける上枠面板には、覆い部６１及び係合孔６２を有する。また、フード６の下枠面板には、操作釦の底面に当接するように一定間隔ごとに突出して形成された弾性押圧部６３と係合凹部（図示せず）に係合する係合凸部（図示せず）を有する。
【００１８】
フィルタ５は、フィルタ取付部７２に沿うように曲面に形成され、その上端縁にはパネル７の口形係合部（図２では省略）に係合するように一定間隔に形成されたテーパを有する引っ掛け弾性係合爪５１と、フィルタ取付部７２に形成された凸部（図２では省略）が係合する位置に凹部５４が形成され、下端縁には操作釦収納部７３の外面に形成された弾性係合爪７５及び位置決め凹部７６に係合するように形成された係合爪５２及び位置決め凸部５３を有する。
【００１９】
カバー８は、筺体２のＬ字状の引っ掛け部２７に係合する引っ掛け爪８１と、組付けガイド部２８に係合するガイド片８２とが両側面板上端縁から組付け方向に延在して形成されているとともに、筺体２の後面板外面に重ね合わせる直角折り曲げ片８３に該筺体のねじ穴１０１に対向するねじ通し穴（図２では省略）及び前記係合穴１０２に係合する係合爪８５を有する。この係合爪８５には係合穴１０２に対する係合がしやすいようにテーパ８５ａを設けておくと良い。また、係合穴１０２の四隅は円弧部とし、この円弧部１０２ａ（図７参照）で係合爪８５を常に接触させる。
【００２０】
引っ掛け部２７と引っ掛け爪８１との係合面には、筺体２とカバー８が互いに押圧力を付与するようにテーパ２７ａと８１ａ（図８参照）が形成され、このテーパ２７ａと８１ａの終端部は円弧部２７ｂと８１ｂ（図８参照）に形成されている。また、カバー８は２つの穴８６ａ、８６ｂを並べて形成した係合穴部８６と、切起こし穴８７の縁の１辺を下方に延長した係合片８７ａとを備えている。
【００２１】
一方、このカバー８に組付けるケース１０には、カバー８の係合穴部８６に係合する位置決めを兼ねた略コ字状の弾性係合爪１１と、カバー８の切起こし穴８７に通し常に係合片８７ａの下端に係合するように下方に伸びた弾性係合爪１２とがケース１０の対向する開口端縁に形成されている。
【００２２】
以下、各部品の組付けについて説明する。表示器４をホルダ９に組付けるには、ホルダ９にその上面から表示器４を押し付けると、表示器４は弾性片９２、弾性片９３、弾性係合爪９４及び９５を外側に押し広げながら進み、弾性片９１を押し下げながらさらに進む。
【００２３】
そして、表示器４が通り過ぎると、弾性片９２は表示器４を端子側に付勢し、弾性片９３は表示器４を左右から挟持し、弾性係合爪９４及び９５は弾性片９１の付勢力で押し上げられる表示器４の表面を押圧保持することで、ホルダ９に対する表示器４の組付けが完了する。この組付け完了後（表示器の組付け前であってもよい。）、弾性係合爪９６及び９７、図示を省略した係合爪によって、ホルダ９を図２に示すように基板３に組付ける。
【００２４】
次いで、表示器４を組付けた基板３を、筺体２の両側面板に形成された第１の基板受け部２２に乗せて組付け方向へ移動させて両側縁を基板挟み込み部２３ａ，２３ｂで挟持させ、その移動終端位置において基板３の移動前端部が第２の基板受け部２６に乗り、ねじ固定しない基板端縁に形成された凸部３１を口形係合部２５に進入する。この状態において、基板３の後端側を基板受け兼ねじ固定部２１に載せてねじ固定する。
【００２５】
一方、筺体２の上面開口にカバー８を組付けるには、カバー８のガイド片８２を筺体２の組付けガイド部２８に沿って移動させて、カバー８を筺体２の開口端面に当接させることにより、カバー８が筺体側に引き込まれすぎて下に下がらないようにしている。
【００２６】
次いで、カバー８を開口端面に当接させた状態で直角折り曲げ片８３が筺体２の後面板外面に当接するまで移動させて、引っ掛け部２７と引っ掛け爪８１とを係合させ、それらが噛合うようにして、左右上下の位置を合わせる。この場合、引っ掛け部２７，引っ掛け爪８１は、入口は大きく、根元は狭くなるようにテーパが形成されているので、組み合わせが容易であるとともに、組み合わせた状態では強固に固定することができる。また、引っ掛け部２７，引っ掛け爪８１の根元に円弧部８１ｂを設けることにより、両引っ掛け部２７，引っ掛け爪８１を常に接触させることでテンションをかけた状態とすることができる。
【００２７】
また、カバー８の直角折り曲げ片８３を筺体２の後面板外面に当接させて重ね合わせると、直角折り曲げ片８３に形成した係合爪８５が筺体２の後面板の係合穴１０２に係合し、カバー８が筺体２に対して位置決め保持される。そこで、この状態を保って、直角折り曲げ片８３のねじ通し穴に通したねじ（図２では省略）を筺体２のねじ穴１０１にねじ込んでねじ固定する。この場合、係合爪８５は、テーパを有し、係合穴１０２の四隅は、円弧部に形成されているので、係合爪８５は係合穴１０２に挿入し易く、係合爪８５は係合穴１０２の円弧部の隅に常に接触して、カバー８と係合爪８５とで筺体２の後板を挟み込むことにより、常時テンションを付加した状態とすることができる。
【００２８】
一方、フィルタ５をパネル７に取り付けるには、まず、フィルタ５の引っ掛け係合爪５１をパネル７の口形係合部７０ａに係合させて、下端側をパネル側に押し付けると、この過程で弾性係合爪５２がパネル側の係合爪７５に係合するとともに、位置決め凸部５３がパネル側の位置決め凹部（図２では省略）に係合して、フィルタ５はパネル７に組付けられる。
【００２９】
このフィルタ組付け後、フィルタ周辺を覆うようにして、フード６の周辺をパネル側のＬ字形の引き込み位置決め部（図２では省略）に嵌め合わせ、係合孔６２にパネル側の係合爪（図２では省略）を係合させる。この組付けにより、覆い部６１はパネル側の口形係合部（図２では省略）を覆い、弾性押圧部６３は操作釦７３ａ〜７３ｎの底面に当接して該操作釦に対し復元力を付与する。
【００３０】
このようにフィルタ５、フード６を組付けたパネル７の壁面７０を、上記のように基板３を組付けた後の筺体２の前面開口部に嵌め合わせ、壁面７０に形成された口形係合部７０ａに筺体２に形成された切起こし係合爪２９及びカバー８の切起こし係合爪８８を係合させて電子機器１の組付けを完了する。
【００３１】
また、上記の組付け前または完了後において、カバー８にケース１０を組付け固定する。この場合、ケース１０の略コ字状の弾性係合爪１１をカバー８の上面にある穴８６ａから挿入し、この状態からケース１０をカバー８側に回動させて、弾性係合爪１１の先端部を穴８６ａ，８６ｂ間の仕切り部８６ｃの下面から穴８６ｂに挿入させて、左右方向の位置決め行った後、係合爪１２を切起こし穴８７に挿入して係合片８７ａに係合させることにより、ケース１０をカバー８にねじを用いることなく強固に組付けることができる。
【００３２】
この発明は、このような構成の電子機器１において、第１の板金部品としての筺体２の開口に対する第２の板金部品としてのカバー８の組付けを工夫したものである。図３は筺体とカバーの要部の分解斜視図、図４は筺体にカバーを組付ける過程の斜視図、図５は筺体とカバーの組付け状態を示す斜視図、図６は図５のＡ−Ａ線に沿う拡大断面図、図７は係合穴と係合爪との関係を示す組付け前の斜視図、図８は引っ掛け部と引っ掛け爪の関係を示す組付け前の斜視図である。
【００３３】
この発明に係る板金部品同士の固定構造における筺体２は、両側面板のカバー取付開口端部に形成したＬ字状の引っ掛け部２７と、この引っ掛け部２７の近傍において、筺体２の開口端側を内方にカバー８の厚み分だけ窪ませた組付けガイド部２８と、後面板にねじ穴１０１と係合穴１０２とを形成している。
【００３４】
カバー８は、Ｌ字状の引っ掛け部２７に係合するように両側縁から組付け側に延在して形成された引っ掛け爪８１と、組付けガイド部２８に係合するように形成されたガイド片８２とを有するとともに、筺体２の後面板に重ね合わせる直角折り曲げ片８３に該筺体のねじ穴１０１に対向するねじ通し穴８４及び係合穴１０２に係合する係合爪８５を有する。
【００３５】
引っ掛け部２７と引っ掛け爪８１との係合面には、板金部品同士を互いに押圧力を付与するようにテーパ２７ａ，８１ａが形成され、このテーパ２７ａ，８１ａの終端部に円弧部２７ｂと８１ｂが形成されている。また、係合爪８５には係合穴１０２に対する係合がしやすいようにテーパ８５ａが設けられているとともに、係合穴１０２の四隅は円弧部１０２ａに形成されている。
【００３６】
上記の構成であるから、筺体２の開口にカバー８を組付けるには、カバー８のガイド片８２を筺体２の組付けガイド部２８に沿って組付け方向に移動させて、カバー８を筺体２の開口端面に当接させることにより、カバー８が筺体側に引き込まれすぎて下に下がらない。
【００３７】
次いで、カバー８を筺体２の開口端面に当接させた状態で横方向に移動させて、引っ掛け部２７と引っ掛け爪８１とを係合させ、それらが噛合うようにして、左右上下の位置を合わせる。この場合、引っ掛け部２７，引っ掛け爪８１は、入口は大きく、根元は狭くなるようにテーパ２７ａ，８１ａが形成されているので、組み合わせが容易であるとともに、組み合わせた状態では引っ掛け部２７と引っ掛け爪８１はそのテーパ２７ａ，８１ａによって互いに押圧力を付与し合い強固に固定することができる。また、引っ掛け部２７，引っ掛け爪８１のテーパ２７ａ，８１ａの根元に円弧部２７ｂと８１ｂを設けていることにより、両引っ掛け部２７，引っ掛け爪８１を常に接触させることでテンションをかけた状態とすることができる。
【００３８】
また、カバー８の横方向の移動によって、カバー後端部の直角折り曲げ片８３を筺体２の後板に重ねると、直角折り曲げ片８３に形成した係合爪８５が筺体２の後面板の係合穴１０２に挿入係合し、カバー８が筺体２に対して位置決め保持される。そこで、この状態を保って、直角折り曲げ片８３のねじ通し穴８４に通したねじ１００を筺体２のねじ穴１０１にねじ込んでねじ固定する。この場合、係合爪８５はテーパ８５ａを有し、係合穴１０２の四隅は円弧部１０２ａに形成されているので、係合爪８５は係合穴１０２に挿入し易く、挿入後はテーパ８５ａよって常時テンションを付加した状態とすることができる。
【００３９】
以上のように、この発明によれば、筺体に対するカバーの組付けを、筺体とカバーに相対的に設けた引っ掛け部と引っ掛け爪の噛合い係合および係合穴に対する係合爪の係合により、板金部品同士をねじ固定箇所を削減して組付けることができ、組立性および分解性の向上を図ることができる。
【００４０】
また、引っ掛け部と引っ掛け爪の係合面に、板金部品同士を互いに押圧力を付与するようにテーパを形成しているので、組付け後は、このテーパによる押圧力が常時付加され、ねじ固定部の緩みを防止するとともに、振動等に基づき発生する異音を抑制することができる。
【産業上の利用可能性】
【００４１】
この発明に係る板金部品同士の固定構造は、組付け後にこのテーパによる押圧力が常時付加され、ねじ固定部の緩みを防止するとともに、振動等に基づき発生する異音を抑制することができるため、電気機器において、板金部品の筺体（シャーシ）に対し板金部品のカバーを組付ける板金部品同士の固定構造等に用いるのに適している。
【図１】
2010109565.tif 000003
【図２】
2010109565.tif 000004
【図３】
2010109565.tif 000005
【図４】
2010109565.tif 000006
【図５】
2010109565.tif 000007
【図６】
2010109565.tif 000008
【図７】
2010109565.tif 000009
【図８】
2010109565.tif 000010
【国際調査報告】
2010109565.tif 000011
2010109565.tif 000012
2010109565.tif 000013
2010109565.tif 000014